(57)【要約】本発明は最小切開手術用器具用の操作装置に関するものであり、第１可動運搬体を有しており、第１可動運搬体上には手術用器具が搭載可能であり、第１可動運搬体は平行四辺形構造の第１腕部に取り付けられており、手術用器具に平面における実質的回動点を提供し、使用時には器具は患者の身体内に挿入されるようになっており、操作装置の手前側には器具操作用のハンドルが提供されており、ハンドルは第１腕部の反対側に提供された平行四辺形構造の第２腕部に載置され、あるいはその一部となっており、ハンドルの軸は器具に対して常に平行に保たれることを特徴としている。
2005522262.tif 000002
【特許請求の範囲】
【請求項１】
最小切開手術用器具の操作装置であって、第１可動運搬体を有しており、該第１可動運搬体上には手術用器具が搭載可能であり、該第１可動運搬体は平行四辺形構造の第１腕部に取り付けられており、手術用器具に平面における実質的回動点を提供し、使用時には器具は患者の身体内に挿入されるようになっており、本操作装置の手前側には器具操作用のハンドルが提供されており、該ハンドルは前記第１腕部の反対側に提供された平行四辺形構造の第２腕部に載置され、あるいはその一部となっており、該ハンドルの軸は本器具に対して常に平行に保たれることを特徴とする操作装置。
【請求項２】
ハンドルは第１可動運搬体にカップリングされた第２可動運搬体に取り付けられ、第２可動運搬体を動かすと第１可動運搬体は本器具の長手方向で対応する動作を提供することを特徴とする請求項１記載の操作装置。
【請求項３】
第１可動運搬体から取り外し可能なことを特徴とする請求項１又は２に記載の操作装置。
【請求項４】
第１可動運搬体には器具の制御機構と協調するように設計されたカップラが提供されており、カップラは引きワイヤを介してハンドルとカップリングされていることを特徴とする請求項１記載の操作装置。
【請求項５】
器具は対応する軸周囲の回転を遅滞なく実行できるようにハンドルとカップリングされていることを特徴とする請求項１記載の操作装置。
【請求項６】
操作装置を様々な方向へ固定するための調節用ロッキング装置を有することを特徴とする請求項１から５のいずれかに記載の操作装置。
【請求項７】
最小切開手術用器具であって、請求項１から６のいずれかに記載の操作装置と共に使用されるものであり、第１端部に作業部を有した管体を含んでおり、作業部の制御手段は該管体を通過するように構成されており、作業部を含んだ第１端部とは反対側の該管体の第２端部にて制御機構は該管体を通過する作業部用の制御手段とカップリングされていることを特徴とする手術用器具。
【請求項８】
制御機構は、管体を通過する引き管体に取り付けられており、制御手段の一部であるフランジであることを特徴とする請求項８記載の手術用器具。
【請求項９】
作業部は２つの協調顎部分を有した顎形態グリップ具であり、それぞれの顎部分は引き管体の一方とカップリングされていることを特徴とする請求項７又は８記載の手術用器具。
【請求項１０】
グリップ具は２つの直交回転方向を有し、それぞれの回転方向は器具の長軸に対して直角であることを特徴とする請求項９記載の手術用器具。
【請求項１１】
顎部分を力で開いてグリップ具を開放させるために、顎部分はスプリング式であることを特徴とする請求項９又は１０記載の手術用器具。
【発明の詳細な説明】
【技術分野】
【０００１】
本発明は大きな切開を必要としない手術器具のための操作装置に関する。
【背景技術】
【０００２】
本発明は大きな切開を必要としない手術器具のための操作装置に関係する。この装置は第１可動運搬体を有しており、第１運搬体上に手術器具を搭載できるようになっている。第１運搬体は平行四辺形構造の第１腕部に取り付けられており、手術器具に平面における回動点を提供する。使用時には器具は患者の身体内に挿入される。本発明はそのような操作器具で使用される器具にも関係する。この器具は第１端部にて作業部が提供された管体を含んでおり、作業部の制御手段が管体内を通過する。
前述のごとき操作装置はＷＯ００/３０５５７に記載されている。
従来の操作装置では器具はモータ駆動であった。そのような操作装置は高額であり、使用には特殊訓練を必要とした。加えて、外科医は手術時に器具が受ける抵抗のフィードバックを感じることができなかった。さらに、外科医は手の動きと器具の動きとの間に時間的ずれを感じた。
【発明の開示】
【発明が解決しようとする課題】
【０００３】
本発明の目的は、単純構造で安価であり、小型軽量であって、外科医に遅延なくフィードバック感覚を与え、外科医が器具のポジショニングに則した自然な施術姿勢をとれるような操作装置を提供することである。
【課題を解決するための手段】
【０００４】
この目的を達成するため、本発明の操作装置には器具操作用のハンドルが提供される。ハンドルは第１腕部の反対側に提供される平行四辺形の第２腕部に載置されるか、その一部となり、ハンドルの軸は器具に対して常に平行に保たれる。
本発明の操作装置はモータ駆動部を有しておらず、ハンドルと手術器具との間には１対１のカップリング関係が提供されるという利点を有する。この利点は執刀医にとって非常に有利である。なぜなら、操作が容易になり、利用対象が広がるからである。
そのような特徴を提供するため、ハンドルを第１運搬体にカップリングされた可動第２運搬体に取り付けることが望ましい。そうすることで、第２運搬体を動かすと第１運搬体は器具の長手方向で対応する動きを提供する。
器具を第１運搬体から取り外し可能とすることがさらに望ましい。器具を施術中に行われる操作に容易に適応させることができ、必要な殺菌を容易化することができる。
これに関連して、本発明の操作装置は、第１運搬体に器具の制御機構と協調するように設計されたカップラを提供することができる。カップラは引きワイヤを介してハンドルとカップリングされる。引きワイヤの利用は、使用時に移動させなければならない操作装置の重量の軽減と、摩擦の低減並びに遊び部分の解消を提供する。
本発明のさらなる特徴では、操作装置の器具はそれぞれの軸周囲の回転を遅滞なく実行できるようにハンドルとカップリングされている。
前述のごとく本発明は手術器具にも関する。本発明によればこの器具は、第１端部とは反対側の管体の第２端部に作業部を有しており、管体を通過する作業部用の制御手段とカップリングする制御機構が提供されている。
有利には、器具は制御機構が管体を通過するようになっている引き管体に取り付けられ、制御手段の一部となるフランジ形態に設計される。フランジの使用によって、器具の制御機構と操作装置のカップラとの間で簡単に取り外せるカップリングが提供でき、ハンドル操作が可能になる。引き管体の利用の利点は押力を提供するのにも適していることである。
本発明の器具では、好適には作業部は２つの協調顎部分を有した顎形態グリップ具である。それぞれの顎部分は引き管体の一方とカップリングされている。
本発明の器具の調整性能の最良化は、グリップ構造に２つの直交回転方向を与えることで実現できる。それぞれの回転方向は器具の長軸に対して直角である。
顎部分をスプリング式とし、顎部分を力で開いてグリップ器具を開放させるようにすることがさらに望ましい。そのように必要開放力をスプリング手段により提供することで器具の直径を小さくすることができ、顎部分を開くために器具の管体を通過しなければならない別体の制御具は不要となる。
操作台に操作装置を搭載させると操作装置を器具ホルダまたは器具クランプとして使用できる。操作装置の自由動作は、例えばフットペダルで操作するブレーキ手段によりロッキングさせるように設計できる。このようにすれば、操作装置の停止操作をフリーハンドで実行でき、手によって他の操作を同時的に行うことができる。
【発明を実施するための最良の形態】
【０００５】
以下において本発明を非限定的好適実施例と添付図面を利用して説明する。
【０００６】
図面中の類似する部分は、同じ参照番号で表示されている。
図１は、腹腔鏡手術用の器具１を示し、部分的に患者の体内に挿入され、器具の作業部近辺に表示された、ｘ、ｙ及びｚの方向とα、β及びγの回転の６自由度で操作される。これらの動作はハンドル２の操作によってコントロールされる。これも同一自由度を有しており、ハンドルの操作中には器具の作業部に対して同じ１対１の動作を提供する。さらに、以下に説明するように、ハンドル２の開閉動作と、これにカップリングされる作業部の顎部分の開閉動作との７番目の自由度が提供される。
【０００７】
切開部を通して器具１が患者の体内へ挿入される場所において、本発明の器具１は不動点３を有する。ハンドル２による器具１の操作中、この不動点３は実質的に器具１の回転の固定ポイントを形成する。
【０００８】
図２は、主軸４が固定具とカップリングされたベアリング５内に収容されていることにより、回転ωを提供することができる主軸４によって形成される操作装置の基礎を示している。この固定具は好適には、手術台によって形成される。この主軸４と共に、プレート６と７、管体８を要素とする、いわゆる平行四辺形構造が接続される。この平行四辺形構造を手段として、軸９ａを回るハンドル２の回転δが、平行四辺形構造の外部に位置する軸９ｂと９ｃ及び軸１０を回る対応回転δを提供し、（延長された方向で）主軸４と交差する。この交点は、前記の患者の切開部と一致し、前記の回転の実質固定ポイントと一致する。このように、器具１は回転３の実質固定ポイント３の周りの２つの回転δとωとを提供することができる。
【０００９】
その他の動作のコントロールのため、器具は、例えば、ハンドル２から操作装置を通じて器具へと延びる引きワイヤ機能を有する。器具の長手方向zにおけるハンドル２と器具１の動作は、例えば、ガイドに沿って可動な運搬体１２と１３上に位置するハンドルと装置によって提供される。
【００１０】
本発明の器具の動作を図３から６を利用してさらに説明する。
【００１１】
図３で示す器具１の作業部は、２つの協調顎部分１５、１６から成る顎形態のグリップ機構として具体化されており、それぞれは軸１７の周りを個々に回転できるようになっている。顎部分１５と１６の回転βとνはそれぞれ、器具１内を延びる引き管体２３と２２に接続されているケーブル手段により別々にコントロールされる。引き管体２３と２２とを同時に引き締めることで、顎部分１５と１６が閉まる。また、スプリング手段１８（図３）によって顎部分１５と１６が開く。
【００１２】
図５で示すように、引き管体２２のみが引き締められ、引き管体２３が緩いとき、顎部分１５と１６の両方がν方向に軸１７の周りを回転する。器具１では、さらに、顎部分１５、１６は軸１９の周りを回転することもできる。この目的で、引き押し管体が使用され、顎部分１５、１６の方向へ押されると、αで示す回転の方向に回転する。
【００１３】
図４と５で示すように、顎部分１５と１６からの最遠端で、引き管体２２と２３にはフランジ２５と２６が提供されている。それぞれの端部では、引き押しロッド２４にはボール２７が提供されている。フランジ２５と２６、及びボール２７の機能は、以下の図６の説明において明らかになる。
【００１４】
図６で示すように、器具１は運搬体１３上に取り付けられ、ガイドに沿って可動である。作業部の顎部分１５と１６と、前記の引きロッドを介してカップリングされたフランジ２５と２６は、操作装置の一部であるレバー２８と２９の手段で操作される。引き押しロッド２４はボール２７に接続されたディスク３０によって操作される。後者の接続は、ボール２７の形状によって、器具１が長手軸の周りを回転することができるように設計されている。ディスク３０のレバー２８と２９をコントロールすることで、顎部分１５，１６の回転α、β及びνがコントロールされる。協調しているボール２７とディスク３０とは、他の部品と同様に似た状態の動作を行う他の構造、例えば、可動運搬体手段で制御される回転可能なフランジ等と交替することができる。器具１の回転γはディスク３１の操作によって提供される。
【００１５】
レバー２８、２９とディスク３０のハンドル２とのカップリングは、本実施例では引きワイヤ手段で提供される。しかしながら、本発明の範囲内でハンドル２と器具１の操作部品間のカップリングには他のタイプのカップリングを提供することもできる。ボーデンケーブル、水力式、チェーン、バンド等が利用できる。これらは全て当業者の技術の範囲内であり、説明を要しない。
【００１６】
【図面の簡単な説明】
【００１７】
【図１】図１は本発明の器具と操作装置の斜視図である。
【図２】図２は本発明の器具と操作装置の斜視図である。
【図３】図３は本発明の器具と作業部の拡大斜視図である。
【図４】図４は本発明の器具と、詳細な第１端部及び第２端部の斜視図である。
【図５】図５は本発明の器具と、第１端部及び第２端部の斜視図であり、作業部が開いて回転している様子を図示する。
【図６】図６は本発明の操作装置に搭載された状態の器具の斜視図である。
【図１】
2005522262.tif 000003
【図２】
2005522262.tif 000004
【図３】
2005522262.tif 000005
【図４】
2005522262.tif 000006
【図５】
2005522262.tif 000007
【図６】
2005522262.tif 000008
【国際調査報告】
2005522262.tif 000009
2005522262.tif 000010
2005522262.tif 000011
2005522262.tif 000012
2005522262.tif 000013